(57)【特許請求の範囲】
【請求項１】
体液透過性の表面シートと、体液不透過性の裏面シートと、前記表面シートと前記裏面シートの間に介在される吸収体とからなり、前記吸収体の幅方向両側部に長手方向に沿って設けられた一対の防漏壁と、これら一対の防漏壁に、前記吸収体の肌当接部の両側に設けられた防漏溝とを備えた吸収性物品であって、
前記防漏溝は、前記肌当接部の幅方向両側部で幅方向外側に向けて弧状に突出する部分を有し、
前記吸収体における前記防漏壁と前記防漏溝との間の領域であって、かつ長手方向において、折り畳まれて個装される際の吸収性物品の中央部における折曲部と前記吸収体の前端との間の領域に、少なくとも一対の防漏溝の肌当接部を含む領域より剛性が高い圧縮部位を設けられており、
前記圧縮部位は、前記防漏溝の前記弧状に突出する部分の幅方向外側で、前記防漏溝の前記弧状に突出する部分にかからずに設けられていることを特徴とする吸収性物品。
【請求項２】
請求項１に記載の吸収性物品であって、
前記圧縮部位は、前記吸収体をエンボス加工にて圧縮形成したエンボス部であることを特徴とする吸収性物品。
【請求項３】
請求項１又は請求項２に記載の吸収性物品であって、
前記防漏壁は、前記表面シートに接合された固定端を有し、
前記固定端は、前記圧縮部位が設けられた領域に設けられていることを特徴とする吸収性物品。
【発明の詳細な説明】
【技術分野】
【０００１】
本発明は、生理用ナプキン等の吸収性物品に関する。
【背景技術】
【０００２】
特許文献１には、吸収体の左右両側に内側圧縮溝が縦方向に延びて形成され、内側圧縮溝の外側に間隔を空けて外側圧縮溝が縦方向に延びて形成された生理用ナプキンが開示されている。
【０００３】
特許文献２には、吸収体の左右両側に長手方向に延びる側方防漏溝が形成され、側方防漏溝を連結する連結防漏溝が吸収体の前後に形成され、吸収体の左右両側に弾性部材を有する防漏壁が設けられた生理用ナプキンが開示されている。この生理用ナプキンは、弾性部材による伸縮力がない部位を折曲部として折り畳んで包装材に個装するようになっている。
【０００４】
特許文献３には、吸収体の左右両側に防漏溝を設けると共に防漏溝の外側に防漏壁を設け、この防漏壁に長手方向に延びる弾性部材を伸長状態で設けた生理用ナプキンが開示されている。
【特許文献１】特開２００４−１８１０８４公報
【特許文献２】特許第３８２４４５２号公報
【特許文献３】特開２００７−８９９０６公報
【発明の開示】
【発明が解決しようとする課題】
【０００５】
しかしながら、特許文献１の生理用ナプキンでは、内側圧縮溝及び外側圧縮溝が前方中央領域から中間中央領域にかけて徐々に広がっている形状となっているため使用時に作用する大腿部からの圧力が前方中央領域一点に集中するため、女性の膣口に向けて吸収体が持ち上げられ、それにより膣口から排出される血液を確実に受け止めることができ易いが、ショーツ等の衣類に確実に装着できなかった場合には、一点でのピンポイントでのフィット状態となっているため、膣口との間に隙間が発生し、この隙間により血液漏れが発生する問題がある。
【０００６】
特許文献２の生理用ナプキンでは、防漏壁における弾性部材の伸縮力が作用している部分を折り畳むと、この折り畳みにより防漏壁が潰れて防漏効果がなくなる。このため、弾性部材の伸縮力が作用していない部位を折り畳まなければならず、折り畳み部分が制限されるため、防漏効果を有した部分が小さくなり、その結果防漏効果が低下して血液の漏れが発生する問題がある。
【０００７】
特許文献３の生理用ナプキンでは、弾性部材の伸縮力を高めて防漏壁の防漏効果を高める場合には、剛性が低いため防漏壁として起立し続けることができず、血液漏れを発生する。又、吸収体の左右両側に内側防漏溝及び外側防漏溝を２本形成して着用者の排泄部に対向する部分の防漏効果を高める場合には、防漏溝が１本追加されるため、その分排泄部に対向する部分の面積が小さくなって血液漏れが発生する問題がある。
【０００８】
そこで本発明は、血液の漏れを有効に防止することが可能な吸収性物品を提供することを目的とする。
【課題を解決するための手段】
【０００９】
請求項１の吸収性物品は、体液透過性の表面シートと、体液不透過性の裏面シートと、前記表面シートと前記裏面シートの間に介在される吸収体とからなり、前記吸収体の幅方向両側部に長手方向に沿って設けられた一対の防漏壁と、これら一対の防漏壁間に、前記吸収体の肌当接部の両側に設けられた防漏溝とを備えた吸収性物品であって、前記防漏溝は、前記肌当接部の幅方向両側部で幅方向外側に向けて弧状に突出する部分を有し、前記吸収体における前記防漏壁と前記防漏溝との間の領域に、少なくとも一対の防漏溝の肌当接部を含む領域より剛性が高い圧縮部位を設けたことを特徴とする。
【００１０】
請求項２の発明は、請求項１に記載の吸収性物品であって、前記圧縮部位は、前記吸収体をエンボス加工にて圧縮形成したエンボス部であることを特徴とする。
【００１１】
請求項３の発明は、請求項１又は請求項２に記載の吸収性物品であって、前記圧縮部位は、長手方向において、折り畳まれて個装される際の吸収性物品の中央部における折曲部と前記吸収体の前端との間に連続的又は間欠的に形成されていることを特徴とする。
【発明の効果】
【００１２】
本発明によれば、防漏壁と防漏溝との間の領域に、一対の防漏溝の肌当接部を含む領域より剛性が高い圧縮部位を設けたため、使用時に体圧によって潰れ難くなり、しかも防漏壁の起立性が向上し、血液の漏れを確実に防止することができる。
【発明を実施するための最良の形態】
【００１３】
以下、本発明を図示する一実施形態により具体的に説明する。図１は吸収性物品としての生理用ナプキンの実施形態の展開状態の平面図、図２は図１のＭ−Ｍ線断面図、図３は個装する場合の手順を示す平面図である。
【００１４】
生理用ナプキン（以下、ナプキン）１は、尾てい骨付近まで覆うような長手方向後方部に長い縦長形状となっている。図１及び図２に示すように、生理用ナプキン１は、液透過性の表面層としての表面シート２と、液不透過性の裏面層としての裏面シート３と、表面シート２と裏面シート３との間に介在する液保持性の吸収層としての吸収体４とを具備する。
【００１５】
表面シート２としては、有孔または無孔の不織布や多孔性プラスティックシートを用いることができる。裏面シート３としては、疎水性の不織布、不透水性のプラスティックフィルム、不織布と不透水性プラスティックフィルムとのラミネートシート等を用いることができる。これに限らず、耐水性の高いメルトブローン不織布や強度の高いスパンボンド不織布で挟んだＳＭＳ不織布を用いても良い。
【００１６】
吸収体４としては、フラッフ状パルプ若しくはエアレイド不織布、高吸収ポリマーを用いることができる。フラッフ状パルプとしては、化学パルプ、セルロース繊維、レーヨン、アセテート等の人工セルロース繊維を選択できる。エアレイド不織布としては、パルプと合成繊維とを熱融着させまたはバインダーで固着させた不織布を選択できる。高吸収ポリマーとしては、デンプン系、アクリル酸系、アミノ酸系の粒子状または繊維状のポリマーを選択できる。不織布としては、スパンレース、スパンボンド、サーマルボンド、メルトブローン、ニードルパンチ、エアースルー等の不織布を選択できる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維を用いることができる。
【００１７】
ナプキン１の表面シート２側における左右両側部には、長手方向に沿って一対の防漏壁５、５が配置されている。防漏壁５、５は吸収体４の左右両側縁それぞれの近傍から起立している。
【００１８】
ナプキン１は、その着用時に着用者の排泄部に対向する部位である排泄部対向部Ｂと、排泄部対向部Ｂに隣接し且つナプキン１の前方及び後方にそれぞれ位置する前方部Ａ及び第１後方部Ｃ、第２後方部Ｄとに区分される。これらの区分は、折曲部２１，２２，２３によってなされるものであり、前方部Ａと排泄部対向部Ｂとは折曲部２１によって区分され、排泄部対向部Ｂと第１後方部Ｃとは折曲部２２によって区分され、第１後方部Ｃと第２後方部Ｄとは折曲部２３によって区分されている。排泄部対向部Ｂは、着用者の肌に接触する肌当接部となるものである。
【００１９】
裏面シート３は、吸収体４の側縁から外方に延出し、ナプキン１の排泄部対向部Ｂの位置において一対のウイング６を形成している。図示しないが、裏面シート３及びウイング６の着衣対向面には、ナプキン１を着衣に固定するための粘着層が形成されている。粘着層は図示していない剥離紙によって保護されている。表面シート２及び裏面シート３は、それぞれが吸収体４の前後端から延出しており、延出した表面シート２と裏面シート３とが互いに接合されて固定されることによりエンドシール部７が形成されている。
【００２０】
防漏壁５は、吸収体４の左右両側部に配置されている。防漏壁５は、一枚の帯状シート５ａと複数の弾性部材５ｂにより構成される（図２参照）。防漏壁５の固定端は、一部が表面シート２と接合され、また、一部が吸収体４の側縁よりもやや外方の位置においてウイング６の根元部分から起立している。この実施形態における防漏壁５は、中空部５ｃを有する形状となっている。防漏壁５は中空部５ｃを有することにより、裏面シート３から盛り上がり易くなっている。なお、防漏壁５としては、基壁部を備えた形状であるΣ型やＴ型としても良い。帯状シート５ａとしては、不織布を用いることができる。
【００２１】
弾性部材５ｂは、防漏壁５を構成する帯状シート５ａ内に伸長状態で固定されている。固定手段としては、ヒートシールやホットメルト接着剤などを用いることができる。弾性部材５ｂとしては、例えばポリオレフィン類及びポリウレタン類の発泡体並びに天然ゴム等のように吸収性物品に用いられるものであれば特に制限されない。弾性部材５ｂの形状は糸状、帯状、フィルム状等とすることができ、この実施形態においては、４７０ｄｔｅｘの太さの糸状のものが使用されている。
【００２２】
弾性部材５ｂは吸収体４の片側で６本以上が配置される。各弾性部材５ｂの伸長率は、略同様に高倍率となっており、この実施形態では、１．４倍以上で伸長されている。かかる伸長率は防漏壁５の形状に関係なく、一定となっている。
【００２３】
ナプキン１の表面シート２側には、その両側部にナプキン１の長手方向へ延びる防漏溝８、８がそれぞれ形成されている。各防漏溝８、８は、表面シート２と吸収体４とが表面シート２側からエンボス等の圧搾手段を行うことにより圧密化及び一体化されることにより形成されている。上記各防漏壁５は、各防漏溝８のそれぞれの外側に位置している。各防漏溝８は、ナプキン１の縦方向の中心線に関してほぼ対称な形状となっている。各防漏溝８は、れそらの前後端が互いに連結しており、これによって全体として閉じた形状をなしている。
【００２４】
各防漏溝８における排泄部対向部Ｂ（肌当接部）に位置する部分においては、ナプキン１の幅方向外方に向けて凸状に湾曲した中央湾曲部８ａとなっている。中央湾曲部８ａは肌当接部Ｂの幅方向両側部で幅方向外側に弧状に膨出している。中央湾曲部８ａの前後は、ナプキン１の長手方向前後に延びて前方溝８ｂ及び後方溝８ｃをそれぞれ形成している。中央湾曲部８ａ及びその前後から延びる前方溝８ｂ及び後方溝８ｃからなる防漏溝８は、ナプキン１のほぼ全長にわたって延びている。又、後方溝８ｃからは、さらに長手方向の後方部に延びる後側溝８ｄが形成されている。後側溝８ｄはＵ字形となっており、第１後方部Ｃ及び第２後方部Ｄを縦断している。前方溝８ｂ及び後溝８ｄは、中央湾曲溝８ａと同様に、ナプキン１の幅方向外方に向けて凸状に湾曲している。
【００２５】
この実施形態において、中央湾曲部（肌当接部）８ａの幅方向外側で中央湾曲溝８ａにかからず且つ長手方向で折曲部２１にかからない長さの一点鎖線で示す領域９は圧縮部位１５が設けられている。圧縮部位１５は、吸収体４上にエンボス等の圧搾手段を施すことによって圧密化されており、剛性が高い部位となっている。領域９に圧縮部位１５を形成することにより、高倍率で伸長された防漏壁５の高収縮力による排泄部対向部Ｂの形状崩壊を阻止できる。これに加えて、中央湾曲溝８ａを折曲の起点とした山折れのし易さも維持できる。これらにより、吸収面、すなわち表面シート２側の面が安定的に盛り上がって着用者の身体に密着できる。これにより、血液の横漏れを確実に防止することができる。
【００２６】
このような圧縮部位１５を形成することにより、中央湾曲溝８ａの幅方向外側に更に防漏溝を設ける必要がなくなり、２本の防漏溝によって硬質化された領域が増えることがなく、使用時に着用者が違和感を感じることがなくなる。さらに、生理用ナプキンにおいては、製造時に表面シート２と防漏壁５とを一体化した後に吸収体４とを接合するために、エンボスにより防漏溝８（ヒンジ）を形成するが、防漏溝８と防漏壁５の距離が小さいと、防漏壁５を巻き込んでエンボスすることがある。このため、防漏溝８と防漏壁５の距離は最低でも５ｍｍ程度必要となる。防漏壁５、５間の吸収体４の幅は一般的な女性の股間幅３５〜４５ｍｍを覆うために、装着時の着けズレも考慮して５５〜６５ｍｍに設計されている。上述したように、中央湾曲溝８ａの幅方向外側に更に防漏溝を設けた場合には、中央湾曲溝８ａ間の距離がそれだけ狭くなり吸収面を広く確保できない。これに対して、この実施形態の圧縮部位１５においては、吸収体４がエンボス等の圧搾手段によって圧密化されているため、違和感を感じることなくナプキン１のフィット性が高まり、これによって防漏効果が一層高まる。特に、吸収体４において盛り上がる部分は、閉じた形状の防漏溝８によって取り囲まれているので、面形状の安定性が一層高められている。
【００２７】
吸収面を一層安定的に盛り上げるためには、防漏溝８、８間に位置する吸収体４の坪量（目付け）を高めるのが効果的である。この場合、防漏溝８、８間に位置する吸収体４の坪量が３００〜１５００ｇ／ｍ２、特に５００〜１２００ｇ／ｍ２であると、吸収面を更に一層安定的に盛り上げることが可能となる。また、この範囲の坪量は、ナプキン１の側方から加わる圧力によって、中央湾曲溝８ａを折曲の起点としてナプキン１が身体側へ押し上げられやすくなる点からも有利である。なお、坪量の範囲のうち３００〜９００ｇ／ｍ２の範囲では、折曲の起点となる効果が主たるものであり、９００〜１５００ｇ／ｍ２の範囲では、折曲の起点となる効果に加えて、中高部が太鼓状に若干変形して盛り上がり起こり易くなる効果も生じるものとなる。
【００２８】
防漏溝８、８間に位置する吸収体４の目付けは以上の通りであるが、防漏溝８の外側に位置する吸収体４の目付けは、１００〜４００ｇ／ｍ２、特に１５０〜３００ｇ／ｍ２が良好である。吸収体４における防漏溝８の外側部分をこの範囲の目付けとすることにより、圧蜜化されても使用時に硬さの違和感を感じることなく、良好な使用感で且つ吸収面を一層安定的に盛り上げる点及び中央湾曲溝８ａを折曲の起点としてナプキン１が身体側へ押し上げられやすくなる点から好ましい。
【００２９】
領域９においては、使用時の違和感を感じさせず、ナプキン１の剛性を維持する点からガーレー剛性値で１０００〜２０００ｍｇ、特に１２００〜１８００ｍｇであることが好ましい。エンボス等の圧搾手段によって圧密化されていない部分は防漏溝８、８間に位置する吸収体４の目付けが高いため、ナプキン１が使用時によれてしまわない程度に使用感も考慮してガーレー剛性値で１５０〜８００ｍｇ、特に３００〜５００ｍｇであることが好ましい。
【００３０】
さらに同様の観点から、排泄部対向部Ｂに存在する中央湾曲溝８ａは長手方向で長さ５０〜１２０ｍｍ、特に７０〜１００ｍｍが好ましい。第１後方部Ｃに存在する後方溝８ｃ及び後側溝８ｄは身体の曲率が大きく変化し始めることによって斜め後ろ漏れを発生させ易い会陰から肛門部を確実にフィットさせるために５０〜１２０ｍｍ、特に７０〜１００ｍｍが好ましい。前方部Ａに存在する前方溝８ｂ、第２後方部Ｄに存在する後方溝８ｄは長手方向で長さ２０〜７０ｍｍ、特に３０〜５０ｍｍが好ましい。
【００３１】
以上により、面形状でのフィット性を維持しながら、高倍率で伸長されている防漏壁５の収縮力の影響を受けず起立し続けるナプキン１とすることができる。以下、このナプキン１の個装構造を説明する。
【００３２】
図３に示すように、ナプキン１は包装シート１０と共に長手方向に３回折り曲げられて折り畳まれる。包装シート１０としては、不織布、フィルム等通常吸収性物品に用いられるものであれば特に制限されないが、剥離処理されているものが好ましい。
【００３３】
ナプキン１を折り畳む際には、図３（ａ）の状態から折曲部２３を起点に第２後方部Ｄが第１後方部Ｃ上に重なるように折り畳まれて領域Ｅを形成する（図３（ｂ））。次に、折曲部２２を起点に領域Ｅが排泄部対向部Ｂ上に重なるように折り畳まれて領域Ｆを形成する（図３（ｃ））。その後、折曲部２１を起点に折り畳むことにより、図３（ｄ）で示す個装体１２を形成する。この折り畳みのとき、領域９は上述してあるように折曲部２２にかかっていないため、折曲部２２は左右各１本の防漏溝８しか存在していない。このためナプキン１の剛性も低く、より折り畳まれ易くなっている。防漏壁５の前後固定部、排泄部対向部（領域９）は起立性を確保する上で吸収体４上にエンボス等の圧搾手段によって圧密化し剛性を高めることが必須であるが、吸収体４における前方部Ａの目付け、第２後方部Ｄの目付けよりも高い排泄部対向部Ｂの折曲部２１、折曲部２２はエンボス等の圧搾手段によって圧密化されるとナプキン１を折り畳み難くなるため外すのが望ましい。領域Ｆ上に前方部Ａが重なって図３に示す個装構造となる。なお、弾性部材５ｂの伸縮力が作用している領域は折曲部２１、折曲部２２と折曲部２３、ナプキン１の長手方向前端部から後端部まで特に規定されない。
【００３４】
このような実施形態では、防漏壁５と防漏溝８との間の領域９に、一対の防漏溝８の排泄部対向部Ｂを含む領域より剛性が高い圧縮部位１５を設けたため、使用時に体圧によって潰れ難くなり、しかも防漏壁５の起立性が向上し、血液の漏れを確実に防止することが可能となる。
【００３５】
又、剛性の低い中央湾曲部８ａの内側は、体圧等の外側からの力を受けることにより、中央湾曲部８ａを折れ起点として山折れして身体に密着する一方、剛性の高い中央湾曲部８ａの外側の圧縮部位１５は外側からの力を受けてもよれ難い。そして、防漏壁５は開封後もつぶれていないため、弾性部材５ｂの高収縮力により、体圧等によりつぶれ難くなり、起立性も向上する。このため、横漏れ防止効果を強化することができる。
【図面の簡単な説明】
【００３６】
【図１】本発明の一実施形態を示す展開状態の平面図である。
【図２】図１のＭ−Ｍ線断面図である。
【図３】個装の手順を示す平面図である。
【符号の説明】
【００３７】
１  生理用ナプキン
２  表面シート
３  裏面シート
４  吸収体
５  防漏壁
８  防漏溝
１５  圧縮部位
Ａ  前方部
Ｂ  排泄部対向部
Ｃ  第１後方部
Ｄ  第２後方部
【図１】
0005232502.tif 000002
【図２】
0005232502.tif 000003
【図３】
0005232502.tif 000004